(57)【要約】      （修正有）【課題】極めて簡単な機構でもって、複数の引戸が互いに連動して開口部を開閉することが出来る引戸の提供。【解決手段】引戸１の少なくとも片側端には縁部材２を取付け、該縁部材２の幅寸法は引戸の厚さより幅広の寸法とし、引戸側端に取り付けた場合には先端を表面から突出し、この突出部３の背面側には緩衝材を取付けている。【選択図】図１
2011012454.tif 000002
【特許請求の範囲】
【請求項１】
引戸の側端に取付けられる縁部材であって、該縁部材は引戸の厚さより幅広の寸法とし、引戸側端に取付けた場合には先端を表面から突出し、この突出部背面側には緩衝材を取付けたことを特徴とする引戸の縁部材。
【請求項２】
複数の引戸が互いに連動して開閉することが出来る引戸において、該引戸の少なくとも片側端には縁部材を取付け、該縁部材の幅寸法は引戸の厚さより大きくして引戸表面から突出した突出部を設け、この突出部の背面側には緩衝材を取付けたことを特徴とする引戸。
【発明の詳細な説明】
【技術分野】
【０００１】
本発明は引戸の側端に取付けられる縁部材、及び該縁部材を取付けた引戸に関するものである。
【背景技術】
【０００２】
部屋の出入口には引戸が装着され、該引戸はレールに沿ってスライドして出入口を開閉することが出来る。ところで、出入口の開口部幅を比較的広く取ることが多く、この場合に袖壁を設けるとともに、２枚の引戸を装着することがある。引戸を２枚用いると、出入口の開口部を閉じる時に、各引戸が個別にスライド移動するため、位置決めが面倒で手間がかかる。従って、閉じたつもりが両引戸間に僅かな隙間が開いている場合が多い。逆に開口部を開く時も同じように各引戸をそれぞれ操作しなくてはならない。
【０００３】
図６は部屋の出入口となる開口部（イ）に２枚の引戸（ロ）、（ハ）が装着されている。該開口部（イ）は両たて枠（ニ）、（ニ）の上端に上枠を連結し、下端には下枠（ト）を連結した枠体の片側に袖壁（ホ）を設けて構成され、そして下枠（ト）には２本のレール（ヘ）、（ヘ）が敷設されている。勿論、下枠（ト）を設けることなく、門形枠体として床面に直接レール（ヘ）、（ヘ）を敷設することもある。
【０００４】
ところで、上記開口部（イ）を開閉する場合、各々の引戸（ロ）、（ハ）を開閉操作しなくてはならない。例えば、同図（ａ）に示すように開口部（イ）を開く場合、各々の引戸（ロ）、（ハ）をレール（ヘ）、（ヘ）に沿って右側へスライドさせる必要がある。開口部（イ）を開く場合であればそれ程不便を感じないが、逆に開口部（イ）を閉じる場合は面倒である。すなわち、引戸（ロ）を左側へスライドさせてたて枠（ニ）に当て、その後、引戸（ハ）を左側へスライドさせるが、引戸（ロ）と引戸（ハ）間に隙間が生じないように、一部重なり合う位置に停止する必要がある。
【０００５】
特開２００３−１３６６８号に係る「引戸の構造」は、２枚のパネルを連動させ、１回の操作で出入り口の開閉を軽く、スム−スに行うことが可能な引戸の構造である。そこで、第１パネル１と第２パネル２からなる引戸と、袖壁とから構成される引戸の構造であって、該第１パネルは、その上部両端部に滑車を備えるとともにワイヤが掛渡され、該ワイヤの袖壁側ワイヤの１点を上レ−ルの一点に固定し、該第２パネルは上記ワイヤの第２パネル側ワイヤの１点で連結手段を介して連結され、上記第１パネルと連動して左右に摺動的に移動可能としている。
【０００６】
特開２００７−２５５００９号に係る「引戸」は、２枚の戸板を面一にして閉じることができる連動引戸である。すなわち、主動戸板の下端面には、固定部と、主動戸板の動きに追従して回動する回動アームと、回動アームの端部から突設されたガイドピンとからなる下部ガイド部材が取り付けられており、従動戸板の下端面には、ガイドピンを移動自在に受け入れ、端部にガイドピンが係止する係止部を有する下部ガイド溝が設けられている。また、主動ガイドレールは、基準面に対して平行な主動走行面において主動戸板を走行させる主動走行部と、基準面と主動走行面との間を行き来するように主動戸板を平行移動させる平行移動部とを有している。
【０００７】
このように、２枚の引戸を互いに連動して開口部を開閉することが出来るようにした引戸装置は従来において色々知られている。勿論、これらの他にも存在するが、しかしその連動構造は複雑であり、一般住宅の出入口開口部に装着する引戸としては製作コストも高くなるなどの問題があり、適さない。
【特許文献１】特開２００３−１３６６８号に係る「引戸の構造」
【特許文献２】特開２００７−２５５００９号に係る「引戸」
【発明の開示】
【発明が解決しようとする課題】
【０００８】
このように、複数枚の引戸を互いに連動して開閉することが出来る引戸には上記のごとき問題がある。本発明が解決しようとする課題はこの問題点であり、極めて簡単な構造で互いに連動して開閉することが出来る引戸及び該引戸の側端に取付ける縁部材を提供する。
【課題を解決するための手段】
【０００９】
本発明に係る引戸はその側端に縁部材を取付けている。該縁部材は硬質樹脂製であって、引戸表面から突出部を僅かに突出している。そして突出部の背面側には軟質樹脂で構成した緩衝材が取付けられている。上記縁部材は少なくとも引戸の片側端に取付けられ、両側端に取付ける場合もある。そして、上記突出部は連動する他の引戸側に設けられ、２連式引戸であれば片面側に延び、３連式引戸の場合の中央に位置する引戸は両面側に突出部が延びている。
【００１０】
ここで、縁部材の取付け方法は特に限定せず、ネジ止めしたり、又は縁部材の背面に脚を垂直に設け、該脚を引戸側端に形成した凹溝に嵌着して取付けることも出来る。そして、本発明の引戸は下端に車輪を取付けて下レールに沿ってスライドする型式とする場合が主であるが、上レールに吊車を介して吊設してスライド可能とする場合も対象とする。
【発明の効果】
【００１１】
本発明に係る引戸は側端に縁部材を取付け、該縁部材は引戸表面から突出した突出部を形成している。従って、出入口となる開口部に２枚の引戸が装着されている場合であれば、一方の引戸をスライドさせて開口部を閉じる際には、突出部が他方の引戸の突出部に当って連動する。又、開口部を開く際にも一方の引戸をスライドさせるならば、突出部が他方の引戸の突出部に当ってスライドして開かれる。
【００１２】
このように、一方の引戸を操作することで開口部が開閉され、非常に便利である。しかも引戸側端に縁部材を取付け、該縁部材を表面から突出する突出部を形成しただけの簡単な構造であり、製作コストは安くなる。特に、開口部を閉じる際には、両引戸の突出部が係合することで間に隙間が生じることはない。又、該突出部の背面側に緩衝材を取付けることで突出部同士が係合する際の衝撃音を生じることは殆どなく、静かに連動して開閉操作を行うことが出来る。
【図面の簡単な説明】
【００１３】
【図１】本発明に係る引戸。
【図２】図１のＡ部拡大図。
【図３】閉じている開口部を開く際の両引戸の連動動作。
【図４】開いている開口部を閉じる際の両引戸の連動動作。
【図５】異なる形態の緩衝材を取付けた引戸側端部。
【図６】縁部材を備えない従来の引戸の開閉操作。
【発明を実施するための形態】
【００１４】
図１は本発明に係る引戸１を示す具体例であり、正面図と横断面図を示している。引戸１は縦長の長方形を成し、下端両側に車輪（図示なし）を取付け、該引戸１はレールに沿ってスライドすることが出来る。そして該引戸１の右側端には縁部材２が取付けられ、該縁部材２は表面側に僅かに突出した突出部３を形成している。
【００１５】
図２は図１のＡ部拡大図を示している。引戸１は芯材４の両面に表面材５，５を貼り合せた構造とし、そして側端に上記縁部材２が取付けられている。本発明はこの縁部材２の取付け構造は限定しないが、同図に示す縁部材２は脚６を垂直に延ばし、この脚６は芯材４の側端に形成した凹溝７に嵌っている。そして、脚６の両面にはノコ歯が形成され、凹溝７に一旦嵌った脚６は外れないように固定される。
【００１６】
縁部材２の幅寸法は引戸１の厚さより大きく、その為に表面から突出した突出部３を有している。この突出部３は引戸１の片面に突出するように上記脚６は中心から片側へ位置ズレした位置に設けている。そして、この突出部３の背面側には緩衝材８が取付けられている。同図に示す緩衝材８は概略Ｊ型断面をなした軟質樹脂製としている。
【００１７】
この緩衝材８はその基部が突出部３の先端側に固定され、湾曲した先端部側は表面材５に接している。その為に、該緩衝材８を潰すように表面に平行な力が作用する場合、緩衝材８は変形するが、湾曲した先端部は表面材５に接していることで倒れ難く、しかも内部は空洞化している為に比較的大きな衝撃力を吸収することが出来る。
【００１８】
図３は本発明の縁部材２を取付けた引戸１ａ，１ｂが開口部９を閉じており、この両引戸１ａ，１ｂをスライドして開く場合を示している。
（ａ）は両引戸１ａ，１ｂにて開口部９が完全に閉じている状態であり、引戸１ａには片側端に縁部材２ａが取付けられており、他の引戸１ｂには両側端に縁部材２ｂａ，２ｂｂを取付けている。そして、引戸１ａの縁部材２ａと引戸１ｂの縁部材２ｂａの突出部３，３が互いに対向し、突出部３，３に取付けた緩衝材８，８が当接している。
【００１９】
そこで、（ｂ）に示すように引戸１ａを矢印方向（右方向）へ押圧してスライドすれば、互いに当接している緩衝材８，８は離れる。ここで、引戸１ｂは静止したままである。そして、（ｃ）に示すように、引戸１ａがさらにスライドすれば、縁部材２ａの突出部３が引戸１ｂの縁部材２ｂｂの突出部３に取付けた緩衝材８に当接する。従って、当接に際して緩衝材８は変形すると共に衝撃音は殆ど発生しない。少なくとも抑制される。さらに、引戸１ａを右方向へ押すならば引戸１ｂも連動して右側へスライドして開口部９は全開する。
【００２０】
図４は前記図３とは逆に開口部９が開いた状態にあり、両引戸１ａ，１ｂをスライドさせて閉じる動作を示している。図４（ａ）は開口部が全開している場合であり、この時、２枚の引戸１ａ，１ｂは袖壁１０に寄って互いに重なり合っている。（ｂ）は引戸１ａを左方向（矢印方向）へ押してスライドさせた場合を示している。引戸１ａの縁部材２ａは引戸１ｂの縁部材２ｂｂから離れる。
【００２１】
そして、（ｃ）に示すように引戸１ａが大きく左方向へスライド移動すれば、縁部材２ａは引戸１ｂの縁部材２ｂａに当接する。勿論、この当接に際して緩衝材８，８が当って変形することで、衝撃音は殆ど発生することはない。そして、縁部材２ａが縁部材２ｂａに当接した状態で引戸１ａをさらに左方向へスライド移動させるならば、他の引戸１ｂは連動して左方向へ引っ張られてスライド移動することが出来る。
【００２２】
そして、引戸１ａがたて枠１１に当って停止すると同時に開口部９は閉ざされる。本発明の引戸にはその側端に縁部材２を取付け、この縁部材２の一部を突出部３として表面から突出させただけの簡単な構造であるが、引戸１ａを開閉することで他の引戸１ｂは連動して開閉することが出来る。
【００２３】
図５は引戸１の側端の縁部材２の突出部３に取付けた緩衝材８の別形態を示している。すなわち、この緩衝材８は角形断面のスポンジで構成し、突出部３の背面側に接着固定されている。ところで、上記実施例では２連式引戸に関して説明したが、３連式引戸にも適用することが出来る。３連式引戸の場合には中央に位置する引戸の縁部材２は両面側に突出部３，３を延ばし、両側の引戸と連動するようにしている。
【符号の説明】
【００２４】
１  引戸
２  縁部材
３  突出部
４  芯材
５  表面材
６  脚
７  凹溝
８  緩衝材
９  開口部
10  袖壁
11  たて枠
【図１】
2011012454.tif 000003
【図２】
2011012454.tif 000004
【図３】
2011012454.tif 000005
【図４】
2011012454.tif 000006
【図５】
2011012454.tif 000007
【図６】
2011012454.tif 000008